(57)【要約】【課題】上顎ピースおよび下顎ピースは歯列が嵌入した状態で下顎が前方位で連結され位置づけられた状態でも下顎が前方位で動き得るようにする。【解決手段】上顎２の歯列３の歯冠３Ａが隙間なく嵌入させる凹み部４を連続して形成した上顎ピース１２と、下顎５の歯列６の歯冠６Ａが隙間なく嵌入させる凹み部７を連続して形成した下顎ピース１４とよりなり、前記上顎ピースの唇面中央部に設けられた摺動可能とした部材を通過したワイヤー２１が下顎ピースの両頬側部２５に結合し、上顎ピースと下顎ピースとをそれぞれ歯列に嵌入され下顎が前方位に保持した状態で、舌およびそれに連なる舌根部が沈下しても上気道が閉塞されることがない範囲で、下顎が上顎に対し開口および左右に動かすことができるようにする。【選択図】図２
2006095245.tif 000002
【特許請求の範囲】
【請求項１】
ほぼ馬蹄形をなし、上顎の歯列の歯冠部が隙間なく嵌入させる凹み部を連続して形成し
た上顎ピースと、
前記上顎ピースと同様にほぼ馬蹄形をなし、下顎の歯列の歯冠部が隙間なく嵌入させる
凹み部を連続して形成した下顎ピースとよりなり、
前記上顎ピースの唇面部と下顎ピースの両頬側部をワイヤーで結合し、上顎ピースと下
顎ピースとをそれぞれ歯列の凹みに歯冠を嵌入され前記下顎が上顎に対し前方位に保持した状態で、舌およびそれに連なる舌根部が沈下しても上気道が閉塞されることがない範囲で、開口および左右に動かすことができるようにしたことを特徴とする無呼吸症候群又はいびき症改善用のマウスピース。
【請求項２】
前記ワイヤーは金属細線を撚った撚線であることを特徴とする請求項１記載の無呼吸症
候群又はいびき症改善用のマウスピース。
【請求項３】
前記上顎ピースおよび下顎ピースの外側面は硬質樹脂で形態保持し内面の歯冠が嵌入す
る凹み部は歯頸部および歯冠部を軟質樹脂で形成し、歯列の歯冠が嵌入される歯冠アンダー部分を軟質樹脂で形成し弾性による挿入と把持機能があることを特徴とする請求項１記載の無呼吸症候群又はいびき症改善用のマウスピース。
【請求項４】
前記上顎ピースおよび下顎ピースは硬質樹脂からなり、歯冠アンダー部分の樹脂を薄く
弾性を与えた形成にすることで、挿入と把持力を容易にして歯列の歯冠が嵌入される咬合部分の樹脂を厚くして安定した対合関係と耐変形手段を施したことを特徴とする請求項１記載の無呼吸症候群又はいびき症改善用のマウスピース。
【請求項５】
ほぼ馬蹄形をなし、上顎の歯列部の歯冠が隙間なく嵌入させる凹み部を連続して形成し
た上顎ピースと、
前記上顎ピースと同様にほぼ馬蹄形をなし、下顎の歯列の歯冠が隙間なく嵌入させる凹
み部を連続して形成した下顎ピースとよりなり、
前記上顎ピースの唇面中央部に円筒部材又は間隔をおいて固定した小リングを固着して
前記円筒部材又は小リングにワイヤーを動き得るように貫通させ、前記貫通させたワイヤーの両端を前記下顎ピースの頬側部に結合したことを特徴とする無呼吸症候群又はいびき症改善用のマウスピース。
【請求項６】
前記上顎ピースの唇面中央部に固着した円筒部材又は間隔をおいて固定した小リングを
貫通するワイヤーの両端を下顎ピースの両頬側部に結合し、結合した前記上顎ピースと下
顎ピースとをそれぞれ歯冠が歯列に嵌入され下顎が前方位に保持した状態で、舌およびそれに連なる舌根が沈下しても上気道が閉塞されることがない範囲で、下顎が上顎に対し開口および左右に動かすことができるように前記ワイヤーの長さを調整したことを特徴とする請求項５記載の無呼吸症候群又はいびき症改善用のマウスピ−ス。
【請求項７】
前記上顎の唇面中央部に固着した円筒部材又は小リングの上部に切り込みを入れ上顎歯列に嵌入して、下顎ピースを下顎の歯列に嵌入した後に、前記切り込みから円筒部材又は小リングにワイヤーを嵌め込み、上顎ピースと下顎ピースと結合することを特徴とする請求項５記載の無呼吸症候群又はいびき症改善用のマウスピース。
【請求項８】
前記小リングを固定した弾性単線ワイヤーを懸架するフックを設け、前記フックを固定したマウスピースの上顎ピースを上顎の歯列に嵌入して、下顎ピースを下顎の歯列に嵌入した後に、前記弾性単線ワイヤーの湾曲部又はリングをフックに掛け、上顎ピースと下顎ピースとを結合することを特徴とする請求項５記載の無呼吸症候群又はいびき症改善用のマウスピース。
【発明の詳細な説明】
【技術分野】
【０００１】
本発明は、無呼吸症候群あるいは習慣性いびきを改善するためのマウスピースに関する
ものである。
【背景技術】
【０００２】
図１０は従来から用いられている無呼吸症候群あるいは習慣性いびきを改善するための
マウスピースである。
【０００３】
睡眠中にいびきをしているのは舌８およびそれに連なる舌根１０が弛緩して上気道２８が狭窄するからであり、また睡眠中に無呼吸になるのは舌８およびそれに連なる舌根１０が沈下して上気道が閉塞するからである。そこでマウスピースを用いて下顎を強制的に前方位に位置付けて、舌８およびそれに連なる舌根１０と軟口蓋９が咽頭壁に落ち込むのを防いで、上気道２８が閉塞または、狭められるのを防止している。
【０００４】
前述したマウスピース１はほぼ馬蹄形をなし、上顎２の歯列３の歯冠が嵌入させる凹み部４と下顎５の歯列６の歯冠を嵌入させる凹み部７とを有する。
【０００５】
患者が就眠時にマウスピース１の上側の凹み部４を上顎２の歯列３の歯冠を嵌入させ、
下側の凹み部７を上顎５の歯列６の歯冠を嵌入させる。それにより下顎５を強制的に前方
位に位置付けて、舌８およびそれに連なる舌根９が重力の作用を受けて、上気道２８方向
に落ち込んで、上気道２８を塞ぐことがないようにしている。
【特許文献１】特開２００４−７３４７３号公報
【発明の開示】
【発明が解決しようとする課題】
【０００６】
前述したように、無呼吸症候群あるいは習慣性いびきを改善するために、一体に形成さ
れたマウスピース１の上側の凹み部４と下側の凹み部７にそれぞれ上側の歯列３および下
側の歯列６の歯冠を嵌入させる。それにより下顎５を強制的に前方位に位置付けて、舌８
およびそれに連なる舌根部１０が就眠中に上気道２８方向に落ち込んで、上気道２８を狭くし、塞ぐことが無いようにしている。
【０００７】
しかし就眠中に下顎は上顎により強制的に前方位に位置付けられているので、就眠中に
下顎を自由に動かして運動させることができず苦痛を感じることがある。斯かる欠点を除
去するため、本発明のマウスピースは上顎ピースと下顎ピースに分離して、マウスピース
を装着しても下顎を上顎に対して動かすことができるようにする。
【課題を解決するための手段】
【０００８】
本発明は上顎ピースおよび下顎ピースに歯冠を嵌入しても下顎が上顎に対し動き得るよ
うにしたもので、
ほぼ馬蹄形をなし、上顎の歯列の歯冠が隙間なく嵌入させる凹み部を連続して形成した
上顎ピースと、前記上顎ピースと同様にほぼ馬蹄形をなし、下顎の歯列の歯冠が隙間なく
嵌入させる凹み部を連続して形成した下顎ピースとよりなり、前記上顎ピースの唇面中央
部と下顎ピースの両頬側部をワイヤーで結合し、上顎ピースと下顎ピースの凹部にそれぞれ歯列の歯冠が嵌入され下顎が前方位に保持した状態で、舌およびそれに連なる舌根部が沈下しても上気道が閉塞されることがない範囲で、下顎が上顎に対し開口および左右に動かすことができるようにした無呼吸症候群又はいびき症改善用のマウスピースを提供する。
【０００９】
本発明はワイヤーが金属細線を撚った撚線である無呼吸症候群又はいびき症改善用のマ
ウスピースを提供する。
【００１０】
本発明は前記上顎ピースおよび下顎ピースの歯冠および歯頸部の特に歯冠アンダー部分を軟質樹脂で形成し、歯列の歯冠が嵌入される非アンダー部分を硬質樹脂で形成した無呼吸症候群又はいびき症改善用のマウスピースを提供する。
【００１１】
本発明は前記上顎ピースおよび下顎ピースに歯冠が挿入困難な歯冠アンダー部分の樹脂
を薄くし弾性を与えた形成にし、歯列の歯冠の嵌入される非アンダー部分の樹脂を厚く形
成した無呼吸症候群又はいびき症改善用のマウスピースを提供する。
【００１２】
本発明はほぼ馬蹄形をなし、上顎の歯列の歯冠が隙間なく嵌入させる凹み部を連続して形成した上顎ピースと、前記上顎ピースと同様にほぼ馬蹄形をなし、下顎の歯列の歯冠が隙間なく嵌入させる凹み部を連続して形成した下顎ピースからなり、前記上顎ピースの中央部に円筒部材又は間隔をおいて小リングを固着して、前記円筒部材又は小リングにワイヤーを動き得るように貫通させて、前記貫通させたワイヤーの両端を前記下顎ピースの両側部に結合した無呼吸症候群又はいびき症改善用のマウスピースを提供する。
【００１３】
本発明は上顎ピースの唇面中央部に固着した円筒部材又は小リングを貫通するワイヤー
の両端を下顎ピースの両頬側部に結合し、結合した前記上顎ピースと下顎ピースとをそれ
ぞれ歯列に嵌入され下顎を前方位に保持した状態で、舌およびそれに連なる舌根が沈下しても上気道が閉塞されることがない範囲で、下顎が上顎に対し前後開口および左右に動かすことができるように前記ワイヤーの長さを調整した無呼吸症候群又はいびき症改善用のマウスピースを提供する。
【００１４】
本発明は前記上顎の唇面中央部に固着した円筒部材又は小リングの上部に切り込みを入れ上顎歯列に嵌入して、下顎ピースを下顎の歯列に嵌入した後に、前記切り込みから円筒部材又は小リングにワイヤーを嵌め込み、上顎ピースと下顎ピースと結合する無呼吸症候群又はいびき症改善用のマウスピースを提供する。
【００１５】
本発明は前記小リングを固定した弾性単線ワイヤーを懸架するフックを設け、前記フックを固定したマウスピースの上顎ピースを上顎の歯列に嵌入して、下顎ピースを下顎の歯列に嵌入した後に、前記弾性単線ワイヤーの湾曲部又はリングをフックに掛け、上顎ピースと下顎ピースとを結合する無呼吸症候群又はいびき症改善用のマウスピースを提供する。
【発明の効果】
【００１６】
本発明の無呼吸症候群又はいびき症改善用のマウスピースは本来人の顎関節は動くこと
によって神経、筋肉、血流が安定を保つことができるが、上下顎を固定することで顎関節
が自由度を失い顎関節においてストレスが発生するので、マウスピ−スを装着し状態でも
下顎を側方運動することにができるようにすることよって顎関節がストレスを発生するの
を解消させるものである。
【００１７】
又本発明の無呼吸症候群又はいびき症改善用のマウスピースは下顎を前方位で固定する
ワイヤーを就眠中に舌およびそれに連なる舌根が沈下しても上気道が閉塞することを防止
できる長さとし、下顎が上顎に対し上下、左右に動かせるようにしたので、上顎ピースお
よび下顎ピースに歯列を嵌入し下顎を前方位に保持した状態でても上顎と下顎を動かすこ
とができ、就眠中に下顎が上顎に対し動かず苦痛を感じることを防止できる。
【００１８】
本発明の無呼吸症候群又はいびき症改善用のマウスピースは上顎ピースと下顎ピースと
を結合するワイヤーは金属細線を撚った撚線を用いたので、しなやかな弾性があり且つ強
度を持たせることができる。
【００１９】
本発明の無呼吸症候群又はいびき症改善用のマウスピースは上顎ピースおよび下顎ピー
スの歯冠や歯頸部を軟質樹脂で形成し、歯列の歯冠が嵌入される外側部分を硬質樹脂で形
成したので、装着時に歯頸部に柔らかくフィットし、マウスピースを装着したときの違和
感を緩和する。
【００２０】
本発明の無呼吸症候群又はいびき症改善用のマウスピースは上顎ピースおよび下顎ピー
スの歯冠アンダー部分の樹脂を薄く形成し弾性把持力を与え、歯冠の非アンダー部は硬質
樹脂に厚みを施し嵌入される部分の樹脂を厚く形成し強度を保ち、装着時に歯頸部に柔ら
かくフィットし就眠中脱落も起こらず、マウスピースを装着したときの違和感を緩和する
ことができる。
【００２１】
本発明の無呼吸症候群又はいびき症改善用のマウスピースは上顎ピースの唇面部に円筒
部材又は間隔を置いて固定した小リングを固着して、前記円筒部材又は小リングにワイヤ
ーを緩く貫通させ、前記貫通させたワイヤーの両端部を前記下顎ピースの両頬側部に結合
したので、上顎ピースおよび下顎ピースに歯列を嵌入し下顎を前方位に保持した状態でも
下顎を上顎に対して開口および左右に動かすことができる。また、就眠中、体形を横向きにすると下顎骨は重みで間接が下方に下がるが、本装置は生態に従って動くので上顎と下顎の各ピース間に不要な力は発生することがないので、顎関節にストレスを発生することがない。
【００２２】
本発明の無呼吸症候群又はいびき症改善用のマウスピースは上顎の中央部に固着する円
筒部材を１〜２０ｍｍにし、上顎ピースとワイヤーとの接触長さを長くしたので、局部的
に曲げ応力が加わらず装着時のワイヤーに無理な力が加わらない。
【発明を実施するための最良の形態】
【００２３】
本発明の無呼吸症候群又はいびき症改善用のマウスピースを図１〜図９に従って説明を
する。尚従来と同一構成部分は同一符号を付する。
【００２４】
図１は本発明の無呼吸症候群又はいびき症改善用のマウスピースを歯列に嵌入した装着
状態を示す側面図である。
【００２５】
図２は本発明の無呼吸症候群又はいびき症改善用のマウスピースの上顎ピースと下顎ピ
ースとを展開した状態を平面図である。
【００２６】
図１および図２に示すように、本発明の無呼吸症候群又はいびき症改善用のマウスピー
ス１１は樹脂等で分離して形成された上顎ピース１２と下顎ピース１４とよりなる。樹脂
は例えばアクリル系樹脂、ポリカーボネート樹脂、ウレタン系樹脂、シクロポリオレフィン硬質樹脂あるいはポリオレフィン系エラストマーおよび酢酸ビニル樹脂が使用される。
【００２７】
上顎ピース１２はほぼ馬蹄形をなし上顎２の歯列３の歯冠３Ａが隙間なく嵌入させるように歯列３の形状に合わせた凹み部４が連続して形成されている。下顎ピース１４も上顎ピース１２と同様にほぼ馬蹄形をなし下顎５の歯列６の歯冠６Ａが隙間なく嵌入させるように歯列６の形状に合わせた凹み部７が連続して形成されている。
【００２８】
図３および図４に示すように、上顎ピース１２と下顎ピース１４は金属線のワイヤー２１で後述するように、下顎を前方位に保持した状態で就眠中に舌およびそれに連なる舌根が沈下しても上気道が閉塞されることがない範囲で、下顎５が上顎２に対して動かすことができるようにしている。
【００２９】
図３および図４に示すように、上顎ピース１２の唇面部１２Ａの中央部には円筒部材２
２が固着され、その円筒部材２２にワイヤー２１が動くことができるように緩く貫通され
ている。下顎ピース１４の両頬側部２５、２５には円筒部材２２を貫通させたワイヤー２
１の両端が固着されている。
【００３０】
ワイヤー２１の両端を下顎ピース１４の両頬側部２５、２５に固着するにはワイヤー２
１の両端を下顎ピース１４の両頬側部２５、２５の樹脂に埋め込んで固着するか、下顎ピ
ース１４の両頬側部２５、２５にリングを設け、そのリングにワイヤー２１の両端部を結
びつけ弾力的に結合してもよい。
【００３１】
前述のワイヤー２１は上顎ピース１２および下顎ピース１４を歯列３、６に嵌入し前方位に保持した状態で下顎５が就眠中に舌２６およびそれに連なる舌根１０が沈下しても上気道２８が閉塞されることがない範囲で動かすことができるように長さを調整している。
【００３２】
図５に示すように、上顎ピース１２と下顎ピース１４とは上顎ピース１２に設けた円筒
部材２２を貫通するワイヤー２１の両端を下顎ピース１４の両端部に結合したので、上顎
ピース１２を上顎２の歯列３に嵌入して、下顎ピース１４を下顎５の歯列６に嵌入し下顎５を前方位に保持した状態でも下顎５は上顎２に対して開口できるようにしている。
【００３３】
図６に示すように、同様に上顎ピース１２と下顎ピース１４とは上顎ピース１２に設け
た円筒部材２２を貫通するワイヤー２１の両端を下顎ピース１４の両頬端部に結合する。
そしてワイヤー２１の長さを上顎ピース１２を上顎２の歯列３に嵌入して、下顎ピース１４を上顎１８の歯列１９に嵌入し前方位に保持した状態でも上顎２と下顎５は開口および左右に動かせるような長さにしている。
【００３４】
またワイヤー２１は細い金属細線を数本撚った撚り線を用いて、強度およびしなやかな
弾力性を持たせている。
【００３５】
金属細線のワイヤー２１の代わりにつり糸あるいは合成樹脂性のワイヤー又は紐を用い
てもよい。また、金属撚り線にナイロンおよびフッ素樹脂を被覆したものでもよい。
【００３６】
円筒部材２２の長さは、症例によって異なるがワイヤー２１と上顎ピース１２に局部的
に力が加わらず、使用時に違和感がないように１ｍｍ〜１５ｍｍ程度にしており、好まし
くは３〜７ｍｍ程度が最適である。
【００３７】
前述において円筒部材２２の上部に一部開口する切り込みを設ける。そして最初下顎ピ
ース１４の両頬側部２５、２５にワイヤー２１の両端を結合するが、切り込みがある円筒部材２２にはワイヤー２１を挿入しない状態にしておく。そして上顎ピース１２を上顎２の歯列３に嵌入して、下顎ピース１４を下顎５の歯列６に嵌入し下顎５を前方位に保持した状態で、ワイヤー２１を前記切り込みから円筒部材２２に挿入することにより、下顎が前方位に保持した状態で上顎ピース１２と下顎ピース１４とを下顎５が上顎２に対して前後開口、および左右に動かせるよう結合できる。
【００３８】
図７に示すように、円筒部材２２の代わりにリング２２Ａ、２２Ａを用いても良い。
図７（Ａ）に示すように、リング２２Ａ、２２Ａを弾性単線ワイヤー２２Ｂで１５〜２５ｍｍの間隔が開くように固定する。そして弾性単線ワイヤー２２Ｂを貫通させたリング２２Ｃを上顎ピース１２の唇面部１２Ａの中央部に固定する。そして弾性単線ワイヤー２２Ｂを貫通させたリング２２Ｃを上顎ピース１２の唇面部１２Ａの中央部に固定する。またリング２２Ａ、２２Ａを貫通させたワイヤー２１の両端を下顎ピース１４の両頬側部２５、２５に固着する。尚、ワイヤー２１の中央部はリング２２Ｃに固着してもよい。
【００３９】
それにより上顎ピース１２と下顎ピース１４とを、上顎ピース１２を上顎２の歯列３に嵌入して、下顎ピース１４を下顎５の歯列６に嵌入し下顎を前方位に保持した状態でも下顎５は上顎２に対して開口および左右に動かせるよう結合できる。
【００４０】
ワイヤー２１の両端を下顎ピース１４の両頬側部２５、２５に固着するには前述と同様
にワイヤー２１の両端を下顎ピース１４の両頬側部２５、２５の樹脂に埋め込んで固着す
るか、下顎ピース１４の両頬側部２５、２５にリングを設け、そのリングにワイヤー２１
の両端部を可動性を持たせ結合してもよい。
【００４１】
図７（Ｂ）は弾性単線ワイヤー２２Ｂの中央部に湾曲部２２Ｄを設ける。そして湾曲部２２Ｄを懸架するフック２２Ｅを上顎ピース１２の唇面部１２Ａの中央部に固定する。またリング２２Ａ、２２Ａを貫通させたワイヤー２１の両端を下顎ピース１４の両頬側部２５、２５に固着する。上顎ピース１２と下顎ピース１４とを、上顎ピース１２を上顎２の歯列３に嵌入して、下顎ピース１４を下顎５の歯列６に嵌入し下顎５を前方位に保持した状態で、フック２２Ｅに弾性単線ワイヤー２２Ｂの湾曲部２２Ｄを懸架することにより、上顎ピース１２と下顎ピース１４とを下顎が前方位に保持した状態で下顎５は上顎２に対して開口、および左右に動かせるよう結合できる。
【００４２】
前述においてリング２２Ａ、２２Ａを弾性単線ワイヤー２２Ｂで間隔が開くように固定したが、弾性単線ワイヤー２２Ｂを設けず、上顎ピース１２の唇面部１２Ａの中央部に固定したフック２２Ｅに直接ワイヤー２１を懸架してもよい。この場合はフック２２Ｅに幅を持たせ、フック２２Ｅとワイヤー２１とは１点でなく長い距離で接触されるようにする必要がある。
【００４３】
図８に示すように、上顎ピース１２を形成している樹脂の上顎２の歯頸部に当接する付け根部分Ｗなる歯冠アンダー部分を薄くし弾力を持たせ、歯頸部に当接する部分を柔らかくし、歯冠上部および非アンダー部分Ｘを厚くし、強度および対合関係を持たせている。下顎ピース１４も同様に形成している樹脂の下顎５の歯頸部に当接する付け根部分を薄くし、歯頸部に当接する部分を柔らかく弾性を与え挿入と把持機能を持たせ、上顎ピース１２との咬合面部分を厚くし、咬合圧、外力に対する変形を抑制している。
【００４４】
図９に示すように、上顎ピース１２を形成している樹脂の上顎２の歯頸部に当接する付け根部分Ｙとなる歯冠アンダー部分を薄くする代わりに、軟質樹脂を用いて歯頸部および歯冠アンダー部分Ｚに当接する部分を柔らかくし、下顎ピース１４との歯冠上部および非アンダー部分Ｚに硬材質の樹脂を用いて、上顎ピース１２との咬合圧、外力に対する変形を抑制している。下顎ピース１４も同様に形成している樹脂の下顎５の歯頸部に当接する付け根部分に軟質樹脂を用いて、歯頸部および歯冠アンダー部に当接する部分を柔らかくし、上顎ピース１２との咬合面部分に硬質樹脂を用いて、咬合圧、外力に対する変形を抑制している。
【００４５】
本発明の無呼吸症候群又はいびき症改善用のマウスピースは上述した構成をなしており
、就眠時にマウスピース１１の上顎ピース１２を上顎２の歯列３に嵌入して、下顎ピース１４を下顎５の歯列６に嵌入し下顎を前方位に保持した状態にする。
【００４６】
上顎ピース１２と下顎ピース１４は上顎ピース１２の中央部に設けた円筒部材２２を貫
通させ、且つ両端を下顎ピース１４の両端部２５、２５に固着したワイヤー２１で動かす
ことができるように結合している。
【００４７】
従って図５に示すように、前述したようにマウスピース１１の上顎ピース１２、下顎ピ
ース１４を歯列３、６にそれぞれ嵌入した下顎５を前方位に保持した状態で、下顎を上顎２に対して上下の開口方向に動かすことができる。
【００４８】
また図６に示すように前述と同様に下顎ピース１４は左右にも動かせる。このようにマ
ウスピース１１を装着しても下顎５を上顎２に対して上下および左右に動かせるので、苦痛を感じることがない。
【００４９】
そしてワイヤー２１の長さを下顎を前方位に保持した状態で就眠中に舌８およびそれに連なる舌根部１０が沈下しても上気道２８が閉塞されることがない範囲で動かすことができるように選定しているので、就眠中に筋肉が弛緩し重力で舌８およびそれに連なる舌根部１０が沈下しても上気道２８が狭められ、閉塞されることがないようにしている。従って就眠中にいびきを掻き、無呼吸症候になるのを防止できる。
【００５０】
前述したマウスピース１１は上顎ピース１２と下顎ピース１４とを結合するワイヤー２
２に金属細線を撚った撚線が使用されているので、しなやかな弾性を持たせることができ
、しかも強度を持たせることができる。
【００５１】
図４に示すように、マウスピース１１は上顎ピース１２の中央部に固着する円筒部材２
２を１〜１５ｍｍ、好ましくは３〜５ｍｍの長さにしているので、円筒部材２２とワイヤ
ー２１とは１点でなく長い距離で接触されるようにしている。従って下顎５を動かしたときに、ワイヤー２１を介して上顎２に加わる力は円筒部材２２とワイヤー２１とが接触している長さプラスαの長さＬで受けるので、上顎２に加わる力は局部的に力が加わらず分散されて受けるため、装着時に違和感を感じさせないようにしている。
【００５２】
図９に示すように、マウスピース１１は上顎ピース１２の上顎１６の歯冠部アンダー部
分Ｗを軟質樹脂で形成し、上側の歯列３の歯冠が嵌入される先端部分Ｘを硬質樹脂で形成している。そのため上顎ピース１２を歯列３に嵌入し装着した時に、上顎ピース１２は歯頸部に柔らかくフィットする。しかも歯列３に嵌合する部分は硬質樹脂で形成されているので、咬合圧、外力に対する変形を抑制している。
【００５３】
下顎ピース１４も同様で、下顎ピース１４の下顎５の歯頸部に当たる付け根部分となる歯冠アンダー部分を軟質樹脂で形成し、下顎歯列６の先端が嵌入される先端部分を硬質樹脂で形成している。
【００５４】
図８に示すように上顎ピース１２の歯頸部分を軟質樹脂で形成し、歯冠上部および非アンダー部分を硬質樹脂で形成する代わりに、上顎ピース１２の上顎２の歯冠歯頸部分に当たる歯冠アンダー部分を弾性のある硬質の薄い樹脂で形成し、上側の歯列３の先端が嵌入される先端部分Ｚを厚い樹脂で形成しても同様な効果が得られる。下顎ピース１４も同様な構成にする。
【図面の簡単な説明】
【００５５】
【図１】本発明の無呼吸症候群又はいびき症改善用のマウスピースを歯列に嵌入した装着状態を示す側面図である。
【図２】本発明の無呼吸症候群又はいびき症改善用のマウスピースの上顎ピースと下顎ピースとを説明するために開いた状態を示す平面図である。
【図３】本発明の無呼吸症候群又はいびき症改善用のマウスピースの装着状態の正面図である。
【図４】本発明の無呼吸症候群又はいびき症改善用のマウスピースの上顎ピースの拡大斜視図である。
【図５】本発明の無呼吸症候群又はいびき症改善用のマウスピースの装着状態を示す部分側面図である。
【図６】本発明の無呼吸症候群又はいびき症改善用のマウスピースの装着状態を示す部分平面図である。
【図７】本発明の無呼吸症候群又はいびき症改善用のマウスピースの他のワイヤー取付方法を示す図で、図７（Ａ）はリングを用いた斜視図、図７（Ｂ）はフックを用いた拡大側面図である。
【図８】本発明の無呼吸症候群又はいびき症改善用のマウスピースの上顎ピースの部分拡大側面図である。
【図９】本発明の無呼吸症候群又はいびき症改善用のマウスピースの上顎ピースの部分拡大側面図である。
【図１０】従来の無呼吸症候群又はいびき症改善用のマウスピースを歯列に嵌入した装着状態を示す側面図である。
【符号の説明】
【００５６】
２        上顎
３        歯列３
３Ａ      歯冠
４        凹み部
５        下顎
６        歯列
７        凹み部
８        舌
１１      マウスピース
１２      上顎ピース
１４      下顎ピース
１７      凹み部
２０      凹み部
２１      ワイヤー
２２      円筒部材
２８      上気道
【図１】
2006095245.tif 000003
【図２】
2006095245.tif 000004
【図３】
2006095245.tif 000005
【図４】
2006095245.tif 000006
【図５】
2006095245.tif 000007
【図６】
2006095245.tif 000008
【図７】
2006095245.tif 000009
【図８】
2006095245.tif 000010
【図９】
2006095245.tif 000011
【図１０】
2006095245.tif 000012